(57)【特許請求の範囲】
【請求項１】
長手方向に対して直交する方向に延びる線を基準として折り畳む構成の折り畳み式財布を収納する折り畳み式財布収納部材であって、
収納部材本体と、
前記収納部材本体に設けられ、折り畳み式財布を折り畳む前の開いた状態で当該折り畳み式財布を収納して当該開いた状態を維持する財布収納部と、
前記財布収納部に形成され、前記折り畳み式財布の小銭類収納部又はカード類収納部を露出する開口部と、
を有することを特徴とする折り畳み式財布収納部材。
【請求項２】
前記財布収納部は、前記折り畳み式財布の外縁の少なくとも一部を支持することを特徴とする請求項１に記載の折り畳み式財布収納部材。
【請求項３】
前記財布収納部は、前記折り畳み式財布の角部の少なくとも一部を支持することを特徴とする請求項１に記載の折り畳み式財布収納部材。
【請求項４】
前記財布収納部の前記開口部側に、前記開口部の開口面方向に沿って伸縮可能なマチ部を設けたことを特徴とする請求項１乃至３のいずれか１項に記載の折り畳み式財布収納部材。
【請求項５】
前記マチ部に、小物を収納可能な小物収納部を設けたことを特徴とする請求項４に記載の折り畳み式財布収納部材。
【請求項６】
前記マチ部及び前記小物収納部をそれぞれ複数設けたことを特徴とする請求項５に記載の折り畳み式財布収納部材。
【請求項７】
前記財布収納部に、前記折り畳み式財布を挿入するときの入口になる収納入口部が形成され、かつ、
前記収納入口部は、湾曲状の縁部を有することを特徴とする請求項１乃至６のいずれか１項に記載の折り畳み式財布収納部材。
【請求項８】
前記財布収納部に、前記折り畳み式財布を挿入するときの入口になる収納入口部が形成され、かつ、
前記財布収納部に前記折り畳み式財布を収納した状態で、前記収納入口部から前記折り畳み式財布の挿入方向の端部がはみ出した位置にあることを特徴とする請求項１乃至７のいずれか１項に記載の折り畳み式財布収納部材。
【請求項９】
前記収納部材本体及び前記財布収納部は、革類、布類、ビニール類、ナイロン類のいずれかで構成されていることを特徴とする請求項１乃至８のいずれか１項に記載の折り畳み式財布収納部材。
【発明の詳細な説明】
【技術分野】
【０００１】
本発明は、折り畳み式財布収納部材に関する。
【背景技術】
【０００２】
従来の財布には、いわゆる長財布と、いわゆる折り畳み式財布と、がある。例えば、折り畳み式財布を所有している者は、服装や状況によっては長財布を使用したいときがある。このような場合に備えて長財布と折り畳み式財布の両方を所有しておき、適宜、使い分けて使用している。
【先行技術文献】
【特許文献】
【０００３】
【特許文献１】特開２００７−１６００５４号公報
【発明の概要】
【発明が解決しようとする課題】
【０００４】
ところで、長財布と折り畳み式財布の両方を使い分ける際に、一方の財布の中身を他方の財布に入れ替える必要が生じる。財布には、現金の他に、複数のカード類等が収納されており、その都度、入れ替え作業をすることは面倒である。
【０００５】
そこで、本発明は、上記問題に鑑み、折り畳み式財布の中身を入れ替えることなく、長財布として使用することが可能な折り畳み式財布収納部材を提供することを目的とする。
【課題を解決するための手段】
【０００６】
本発明は、長手方向に対して直交する方向に延びる線を基準として折り畳む構成の折り畳み式財布を収納する折り畳み式財布収納部材であって、収納部材本体と、前記収納部材本体に設けられ、折り畳み式財布を折り畳む前の開いた状態で当該折り畳み式財布を収納して当該開いた状態を維持する財布収納部と、前記財布収納部に形成され、前記折り畳み式財布の小銭類収納部又はカード類収納部を露出する開口部と、を有することを特徴とする。
【０００７】
この場合、前記財布収納部は、前記折り畳み式財布の外縁の少なくとも一部を支持することが好ましい。
【０００８】
この場合、前記財布収納部は、前記折り畳み式財布の角部の少なくとも一部を支持することが好ましい。
【０００９】
この場合、前記財布収納部の前記開口部側に、前記開口部の開口面方向に沿って伸縮可能なマチ部を設けたことが好ましい。
【００１０】
この場合、前記マチ部に、小物を収納可能な小物収納部を設けたことが好ましい。
【００１１】
この場合、前記マチ部及び前記小物収納部をそれぞれ複数設けたことが好ましい。
【００１２】
この場合、前記財布収納部に、前記折り畳み式財布を挿入するときの入口になる収納入口部が形成され、かつ、前記収納入口部は、湾曲状の縁部を有することが好ましい。
【００１３】
この場合、前記財布収納部に、前記折り畳み式財布を挿入するときの入口になる収納入口部が形成され、かつ、前記財布収納部に前記折り畳み式財布を収納した状態で、前記収納入口部から前記折り畳み式財布の挿入方向の端部がはみ出した位置にあることが好ましい。
【００１４】
この場合、前記収納部材本体及び前記財布収納部は、革類、布類、ビニール類、ナイロン類のいずれかで構成されていることが好ましい。
【発明の効果】
【００１５】
本発明によれば、折り畳み式財布の中身を入れ替えることなく、長財布として使用することができる。
【図面の簡単な説明】
【００１６】
【図１】本発明の各実施形態に係る折り畳み式財布収納部材に収納される折り畳み式財布の折り畳む前の開いた状態を示した正面図である。
【図２】本発明の各実施形態に係る折り畳み式財布収納部材に収納される折り畳み式財布の折り畳んだ後の閉じた状態を示した正面図である。
【図３】図２の折り畳み式財布の第１変形例の開いた状態を示した正面図である。
【図４】図２の折り畳み式財布の第２変形例の開いた状態を示した正面図である。
【図５】図２の折り畳み式財布の第３変形例の開いた状態を示した正面図である。
【図６】図２の折り畳み式財布の第４変形例の開いた状態を示した正面図である。
【図７】本発明の第１実施形態に係る折り畳み式財布収納部材であって折り畳み式財布の収納前の開いた状態を示した正面図である。
【図８】本発明の第１実施形態に係る折り畳み式財布収納部材の閉じた状態を示した正面図である。
【図９】本発明の第１実施形態に係る折り畳み式財布収納部材の閉じた状態を示した背面図である。
【図１０】本発明の第１実施形態に係る折り畳み式財布収納部材であって折り畳み式財布の収納後の開いた状態を示した正面図である。
【図１１】本発明の第１実施形態に係る折り畳み式財布収納部材であって折り畳み式財布の収納後の閉じた状態を示した断面図である。
【図１２】本発明の第２実施形態に係る折り畳み式財布収納部材であって折り畳み式財布の収納前の開いた状態を示した正面図である。
【図１３】本発明の第２実施形態に係る折り畳み式財布収納部材の閉じた状態を示した背面図である。
【図１４】本発明の第２実施形態に係る折り畳み式財布収納部材であって折り畳み式財布の収納後の開いた状態を示した正面図である。
【図１５】本発明の第３実施形態に係る折り畳み式財布収納部材であって折り畳み式財布の収納前の開いた状態を示した斜視図である。
【図１６】本発明の第３実施形態に係る折り畳み式財布収納部材の閉じた状態を示した正面図である。
【図１７】本発明の第３実施形態に係る折り畳み式財布収納部材の閉じた状態を示した背面図である。
【図１８】本発明の第４実施形態に係る折り畳み式財布収納部材であって折り畳み式財布の収納前の開いた状態を示した斜視図である。
【図１９】本発明の第４実施形態に係る折り畳み式財布収納部材の閉じた状態を示した正面図である。
【図２０】本発明の第４実施形態に係る折り畳み式財布収納部材であって折り畳み式財布の収納後の開いた状態を示した斜視図である。
【図２１】本発明の第１実施形態に係る折り畳み式財布収納部材の第１変形例であって折り畳み式財布の収納前の開いた状態を示した正面図である。
【図２２】本発明の第１実施形態に係る折り畳み式財布収納部材の第１変形例であって閉じた状態を示した正面図である。
【図２３】本発明の第１実施形態に係る折り畳み式財布収納部材の第１変形例であって閉じた状態を示した背面図である。
【図２４】本発明の第１実施形態に係る折り畳み式財布収納部材の第１変形例であって開いた状態から閉じる状態までの過程を示した説明図である。
【図２５】本発明の第１実施形態に係る折り畳み式財布収納部材の第２変形例であって折り畳み式財布の収納前の開いた状態を示した正面図である。
【図２６】本発明の第１実施形態に係る折り畳み式財布収納部材の第２変形例であって閉じた状態を示した正面図である。
【図２７】本発明の第１実施形態に係る折り畳み式財布収納部材の第３変形例であって折り畳み式財布を収納するときの状態を示した正面図である。
【図２８】本発明の第１実施形態に係る折り畳み式財布収納部材の第３変形例であって折り畳み式財布を収納した後の状態を示した斜視図である。
【図２９】本発明の折り畳み式財布収納部材に設けられるカード類収納ポケットの第１変形例を示した図である。
【図３０】本発明の折り畳み式財布収納部材に設けられるカード類収納ポケットの第２変形例を示した図である。
【図３１】本発明の折り畳み式財布収納部材に設けられるカード類収納ポケットの第３変形例を示した図である。
【発明を実施するための形態】
【００１７】
本発明の第１実施形態に係る折り畳み式財布収納部材について、図面を参照して説明する。
【００１８】
先ず、折り畳み式財布収納部材に収納される折り畳み式財布について説明する。
【００１９】
図１及び図２に示すように、折り畳み式財布１０は、長手方向（図１中矢印Ｘ方向）に対して直交する方向（図１中矢印Ｙ方向）に延びる中心線ＣＬを基準として折り畳みが可能なように構成されている。
【００２０】
折り畳み式財布１０の中心線ＣＬを基準として一方側には、例えば、小銭（あるいはコイン）を収納する小銭類収納部１２が設けられている。また、折り畳み式財布１０の中心線ＣＬを基準として他方側には、カード類を収納するカード類収納部１４が設けられている。さらに、必要に応じて、お札類を収納する札類収納部１６が設けられている。
【００２１】
ここで、折り畳み式財布１０には、以下に示すように、折り畳み式財布１０の折り畳む前の開いた平面状態において中央部１８の膨らみが生じ難い様々な工夫点が施されている。
【００２２】
具体的には、上記小銭類収納部１２とカード類収納部１４との間に位置する中央部１８が、厚みの比較的薄い素材で構成されていたり、あるいは少なくとも一部が伸縮可能な素材（例えばゴム等）で構成されている。
【００２３】
中央部１８の厚みは、例えば、０．１ｍｍ以上１．０ｍｍ以下の範囲が好ましく、さらには０．３ｍｍが好ましい。また、中央部１８が２重構造で構成されている場合には、２重構造の全てあるいは一重構造の部分のみが伸縮素材等で構成されている。これらの工夫により、折り畳み式財布１０の折り畳む前の開いた平面状態において、中央部１８の膨らみを大幅に抑制することができる。
【００２４】
図３乃至図６は、折り畳み式財布１０の構成のバリエーションを図示したものである。図３乃至図６に示す折り畳み式財布１０の構成は、あくまでも一例であり、この構成に限定されるものではない。折り畳み式財布１０の一般的な形態や構成についても、適宜採用することができる。
【００２５】
次に、折り畳み式財布収納部材について説明する。
【００２６】
図７乃至図１１に示すように、第１実施形態の折り畳み式財布収納部材２０は、例えば、収納部材本体２２と、収納部材本体２２に設けられ折り畳み式財布１０を折り畳む前の開いた状態で当該折り畳み式財布１０を収納する財布収納部２４と、財布収納部２４に形成され折り畳み式財布の所定の領域を露出する開口部２５と、を有している。
【００２７】
収納部材本体２２は、平面視にて方形状に形成されており、略中心を通る折曲線ＢＬを基準として一方側に形成されたカバー部２２Ａと、折曲線ＢＬを基準として他方側に形成されたベース部２２Ｂと、で構成されている。
【００２８】
カバー部２２Ａの角部には、所定の曲率で湾曲した湾曲部２２Ｃが形成されている。これにより、カバー部２２Ａのベース部２２Ｂに対する開閉動作が容易になる。
【００２９】
ベース部２２Ｂには、財布収納部２４が設けられている。財布収納部２４のベース部２２Ｂに対する取付手段は、従来技術を適宜採用することができる。取付手段として、例えば、縫い付け等により実現されていることが好ましい。
【００３０】
財布収納部２４は、所定の厚みを備え折り畳み式財布１０の挿入方向に沿って延びる第１支持部２６と、第１支持部２６に対して略平行に形成され所定の厚みを備えるとともに折り畳み式財布１０の挿入方向に沿って延びる第２支持部２８と、所定の厚みを備えるとともに第１支持部２６と第２支持部２８とを接続する接続部３０と、で構成されている。
【００３１】
第１支持部２６、第２支持部２８及び接続部３０は、例えば一体形成されており、折り畳み式財布１０の端部から所定の寸法だけ内側に延在した内側支持部３２を有している。
【００３２】
図７、図１０及び図１１に示すように、第１支持部２６は、所定の厚み部３４を有しており、例えば、折り畳み式財布１０の折り畳む前の開いた状態において厚み部３４に収納された折り畳み式財布１０の一方側端部を支持する。図１０では、第１支持部２６は、折り畳み式財布１０の左側端部を支持している。
【００３３】
第２支持部２８は、所定の厚み部３４を有しており、例えば、折り畳み式財布１０の折り畳む前の開いた状態において厚み部３４に収納された折り畳み式財布１０の他方側端部を支持する。図１０では、第２支持部２８は、折り畳み式財布１０の右側端部を支持している。
【００３４】
接続部３０は、所定の厚み部３４を有しており、例えば、折り畳み式財布１０の折り畳む前の開いた状態において厚み部３４に収納された折り畳み式財布１０の上端部又は下端部を支持する。図１０では、接続部３０は、折り畳み式財布１０の下端部を支持している。
【００３５】
ここで、第１支持部２６の端部は、前記折り畳み式財布１０を挿入するときの入口になる第１収納入口部２６Ａが形成されている。当該第１収納入口部２６Ａは、平面視にて湾曲状の第１縁部２６Ｂを有する。
【００３６】
図１０に示すように、第１収納入口部２６Ａの長さ寸法は、財布収納部２４に折り畳み式財布１０を収納した状態で、折り畳み式財布１０の挿入方向の下流側端部が第１収納入口部２６Ａの先端部から所定のはみ出し寸法Ｓだけはみ出した位置になるように設定されている。当該はみ出し寸法Ｓは、材質、全体の寸法等に応じて適宜設定することができる。
【００３７】
同様にして、第２支持部２８の端部は、折り畳み式財布１０を挿入するときの入口になる第２収納入口部２８Ａが形成されている。当該第２収納入口部２８Ａは、平面視にて湾曲状の第２縁部２８Ｂを有する。
【００３８】
また、第２収納入口部２８Ａの長さ寸法は、折り畳み式財布１０の挿入方向の下流側端部が第２収納入口部２８Ａの先端部から所定のはみ出し寸法Ｓだけはみ出した位置になるように設定されている。当該はみ出し寸法Ｓは、材質、全体の寸法等に応じて適宜設定することができる。
【００３９】
開口部２５は、財布収納部２４により区画形成されており、折り畳み式財布１０の所定の領域を露出する。具体的には、開口部２５は、第１支持部２６、第２支持部２８及び接続部３０の連続した縁部により区画形成されている。
【００４０】
折り畳み式財布１０の所定の領域とは、例えば、折り畳み式財布１０が開いた状態で財布収納部２４に収納された状態で、小銭類収納部１２及びカード類収納部１４の全てが開口部２５に露出した状態を意味する。
【００４１】
具体的には、小銭類収納部１２及びカード類収納部１４の全てが開口部２５を通して露出しているため、折り畳み式財布１０が開いた状態で財布収納部２４に収納された状態で、小銭類収納部１２及びカード類収納部１４に小銭やカードを自在に収納し、又は小銭類収納部１２及びカード類収納部１４から小銭やカードを取り出すことが可能になる。
【００４２】
なお、折り畳み式財布１０の札類収納部１６は、折り畳み式財布１０が開いた状態で財布収納部２４に収納された状態で財布収納部２４の挿入口側に開口しているため、札類収納部１６にお札を自在に収納でき、あるいは札類収納部１６からお札を自在に取り出すことが可能である。
【００４３】
このように、折り畳み式財布１０が開いた状態で財布収納部２４に収納された状態では、折り畳み式財布１０が財布収納部２４に支持されるとともに、開口部２５を通して折り畳み式財布１０の小銭類収納部１２及びカード類収納部１４に対するアクセスが可能になる。これにより、物の出し入れ時において、その都度、折り畳み式財布１０を財布収納部２４から取り出す必要が無くなり、使い勝手が良くなる。
【００４４】
なお、折り畳み式財布収納部材２０の収納部材本体２２及び財布収納部２４は、例えば、革（牛、豚、羊、山羊、馬、ダチョウ、蛇、ワニ等）、合成皮革（スエード、エナメル等）などの革類、布類、ビニール類、ナイロン類で構成されている。特に、革類を適用することにより高級感を出すことができ、ビニール類、ナイロン類を適用することにより汚れの除去が容易になる。さらには、布類を適用することにより洗濯機で掃除することができる等、清掃性が高くなる。
【００４５】
また、折り畳み式財布収納部材２０の収納部材本体２２及び財布収納部２４には、必要に応じて、様々な色彩やデザインが施される。これらについても、特に限定するものではない。
【００４６】
次に、第１実施形態の折り畳み式財布収納部材２０の作用・効果について説明する。
【００４７】
図１乃至図６に示すように、折り畳み式財布１０を単体で使用する場合には、小銭類収納部１２に所定の金額の小銭を収納し、札類収納部１６に所定枚数のお札を収納し、カード類収納部１４に所定枚数のカード類を収納して、折り畳み式財布１０のみを持ち歩く。
【００４８】
そして、服装や状況によって長財布を使用する場合には、図７乃至図１１に示すように、折り畳み式財布１０を折り畳む前の開いた状態にして、折り畳み式財布１０を折り畳み式財布収納部材２０の財布収納部２４に収納する。このとき、財布収納部２４の第１支持部２６及び第２支持部２８の各収納入口部２６Ａ、２８Ａから折り畳み式財布１０を挿入する。
【００４９】
折り畳み式財布１０を第１支持部２６及び第２支持部２８に完全に収納した状態では、折り畳み式財布１０の左側端部が第１支持部２６に収納され、折り畳み式財布１０の右側端部が第２支持部２８に収納され、折り畳み式財布１０の下端部が接続部３０に収納される。これにより、折り畳み式財布１０の収納が完了し、折り畳み式財布１０の縁部の少なくとも一部が、第１支持部２６、第２支持部２８及び接続部３０により支持された状態になる。
【００５０】
ここで、折り畳み式財布１０の小銭類収納部１２及びカード類収納部１４は、開口部２５を通して露出しているため、折り畳み式財布１０を財布収納部２４に収納した状態で、小銭類収納部１２及びカード類収納部１４の内部に小銭やカードを自在に収納することができ、あるいは小銭類収納部１２及びカード類収納部１４の内部から小銭やカードを自在に取り出すことができる。また、札類収納部１６の入口が開放されているため、折り畳み式財布１０を財布収納部２４に収納した状態で、札類収納部１６に札類を収納したり、あるいは札類収納部１６に収納していた札類を取り出すことができる。
【００５１】
また、第１支持部２６及び第２支持部２８の各収納入口部２６Ａ、２８Ａには平面視にて湾曲状の各縁部２６Ｂ、２８Ｂが形成されているため、小銭やカードを取り出す際に、たとえ折り畳み式財布１０の少なくとも一部が開口部２５から引っ張り出されて各支持部２６、２８の支持が解除された場合でも、折り畳み式財布１０を元の位置に戻し易くなる。
【００５２】
換言すれば、各収納入口部２６Ａ、２８Ａには角部がないため、折り畳み式財布１０を元の位置に戻す際に、折り畳み式財布１０が各収納入口部２６Ａ、２８Ａに引っ掛からない。そして、折り畳み式財布１０が各収納入口部２６Ａ、２８Ａの各縁部２６Ｂ、２８Ｂを滑るようにして、第１支持部２６及び第２支持部２８の内部に進入する。このようにして、折り畳み式財布１０を元の収納位置に戻すことができる。
【００５３】
また、財布収納部２４に折り畳み式財布１０が完全に収納された状態では、各収納入口部２６Ａ、２８Ａの各先端部から折り畳み式財布１０の挿入方向の下流側端部がはみ出した位置にある。これにより、折り畳み式財布１０の財布収納部２４に対する収納作業及び取り出し作業が容易になる。
【００５４】
以上のようにして、折り畳み式財布１０を長財布として使用したい場合には、上述したように、折り畳む前の開いた状態にした折り畳み式財布１０を折り畳み式財布収納部材２０の財布収納部２４に収納する。これにより、折り畳み式財布１０の中身を入れ替えることなく、そのまま長財布として使用することができる。
【００５５】
次に、第２実施形態に係る折り畳み式財布収納部材について、図面を参照して説明する。なお、上記実施形態に係る折り畳み式財布収納部材と重複する構成については、同じ符号を付し、説明を省略する。
【００５６】
図１２乃至図１４に示すように、第２実施形態に係る折り畳み式財布収納部材２０では、第１支持部２６、第２支持部２８及び接続部３０の形状を適宜変更して、折り畳み式財布１０の各角部が挿入できるように構成してもよい。
【００５７】
例えば、第１支持部２６、第２支持部２８及び接続部３０の形状を平面視にて三角形状にし、第１支持部２６で折り畳み式財布１０の第１角部１０Ｒ１の少なくとも一部を収納し、第２支持部２８で折り畳み式財布１０の第２角部１０Ｒ２の少なくとも一部を収納し、接続部３０を２つに切り離して折り畳み式財布１０の第３角部１０Ｒ３及び第４角部１０Ｒ４の少なくとも一部を収納する。
【００５８】
第２実施形態に係る折り畳み式財布収納部材２０によれば、特に、折り畳み式財布１０の４つの角度１０Ｒ１、１０Ｒ２、１０Ｒ３、１０Ｒ４をピンポイントで支持することができる。このため、折り畳み式財布１０が財布収納部２４に対してスライドすることがなく、折り畳み式財布１０が財布収納部２４から離脱し難くなる。
【００５９】
なお、折り畳み式財布１０の折り畳み式財布収納部材２０に対する収納方法については、第１実施形態の折り畳み式財布収納部材１０を用いた場合と同様の作用・効果を得ることができるため、説明を省略する。
【００６０】
次に、第３実施形態に係る折り畳み式財布収納部材について、図面を参照して説明する。なお、上記実施形態に係る折り畳み式財布収納部材と重複する構成については、同じ符号を付し、説明を省略する。
【００６１】
図１５乃至図１７に示すように、第３実施形態に係る折り畳み式財布収納部材２０は、財布収納部２４の開口部側に当該開口部２５の開口面方向に沿って伸縮可能な一対の第１マチ部３６を備えている。
【００６２】
第１マチ部３６は、例えば、一対の第１伸縮片３６Ａと、一対の第２伸縮片３６Ｂと、を有している。第１伸縮片３６Ａと第２伸縮片３６Ｂは一体形成されており、両者の境界において折曲線ＴＬが形成されている。第１伸縮片３６Ａと第２伸縮片３６Ｂとが相互に近接あるいは面接触することにより第１マチ部３６が縮み、第１伸縮片３６Ａと第２伸縮片３６Ｂとが大きく離間することにより第１マチ部３６が伸びる。
【００６３】
一対の第２伸縮片３６Ｂには、小物を収納可能な第１小物収納部３８が設けられている。一対の第２伸縮片３６Ｂと第１小物収納部３８とは、例えば一体形成されている。第１小物収納部３８には、例えばカード類収納ポケット４６が形成されており、その内部に小銭、お札、カード類等の小物を収納することができる。
【００６４】
ここで、図１５に示すように、一対の第１伸縮片３６Ａが財布収納部２４の一部を構成し、折り畳み式財布１０を支持する機能を兼備することが好ましい。
【００６５】
なお、図１７に示すように、折り畳み式財布収納部材２０の背面側には、小銭収納ポケット４０が設けられている。これにより、小銭の収納力を高めることができる。
【００６６】
第３実施形態に係る折り畳み式財布収納部材２０によれば、財布収納部２４に折り畳み式財布１０を収納した状態で、第１マチ部３６を伸ばすことにより、使用者の手の挿入スペースを確保することができる。このため、財布収納部２４に収納した折り畳み式財布１０の小銭類収納部１２、カード類収納部１４及び札類収納部１６にお金やカードを容易に収納したり、あるいは取り出したりすることができる。
【００６７】
同時に、お金やカード類を取り損ねた場合でも、第１マチ部３６がこれらの受け部として機能するため、お金やカード類が折り畳み式財布収納部材２０の外部に落下することを防止できる。また、第１マチ部３６の内部に、小銭等のお金等を収納することもできる。
【００６８】
加えて、第１小物収納部３８の内部に、様々な小物を収納することができるため、収納力を高めることができる。また、第１小物収納部３８のカード類収納ポケット４６、及び折り畳み式財布収納部材２０の背面側の小銭収納ポケット４０が設けられているため、小物の収納力が格段に高くなる。
【００６９】
次に、第４実施形態に係る折り畳み式財布収納部材について、図面を参照して説明する。なお、上記折り畳み式財布収納部材と重複する構成については、同じ符号を付し、説明を省略する。
【００７０】
図１８乃至図２０に示すように、第４実施形態に係る折り畳み式財布収納部材２０は、財布収納部２４の開口部側に当該開口部２５の開口面方向に沿って伸縮可能な一対の第１マチ部３６を備えている。
【００７１】
第１マチ部３６は、例えば、一対の第１伸縮片３６Ａと、一対の第２伸縮片３６Ｂと、を有している。第１伸縮片３６Ａと第２伸縮片３６Ｂは一体形成されており、両者の境界において折曲線ＴＬが形成されている。第１伸縮片３６Ａと第２伸縮片３６Ｂとが相互に近接あるいは面接触することにより第１マチ部３６が縮み、第１伸縮片３６Ａと第２伸縮片３６Ｂとが大きく離間することにより第１マチ部３６が伸びる。
【００７２】
一対の第２伸縮片３６Ｂには、小物を収納可能な第１小物収納部３８が設けられている。一対の第２伸縮片３６Ｂと第１小物収納部３８とは、例えば一体形成されている。第１小物収納部３８には複数のポケットが形成されており、その内部に小銭、お札、カード類等の小物を収納することができる。
【００７３】
ここで、一対の第１伸縮片３６Ａが財布収納部２４の一部を構成し、折り畳み式財布１０を支持する機能を兼備していることが好ましい。
【００７４】
さらに、第１マチ部３６には、第２マチ部４２が連続して設けられている。
【００７５】
第２マチ部４２は、例えば、一対の第３伸縮片４２Ａと、一対の第４伸縮片４２Ｂと、を有している。第３伸縮片４２Ａと第４伸縮片４２Ｂは一体形成されており、両者の境界において折曲線ＴＬが形成されている。第３伸縮片４２Ａと第４伸縮片４２Ｂとが相互に近接あるいは面接触することにより第２マチ部４２が縮み、第３伸縮片４２Ａと第４伸縮片４２Ｂとが大きく離間することにより第２マチ部４２が伸びる。
【００７６】
また、一対の第４伸縮片４２Ｂには、小物を収納可能な第２小物収納部４４が設けられている。一対の第２伸縮片４２Ｂと第２小物収納部４４とは例えば一体形成されている。第２小物収納部４４の内側には複数のポケット（図示省略）が形成されており、その内部に小銭、お札、カード類等の小物を収納することができる。
【００７７】
第４実施形態に係る折り畳み式財布収納部材２０によれば、財布収納部２４に折り畳み式財布１０を収納した状態で、第１マチ部３６を伸ばすことにより、使用者の手の挿入スペースを確保することができる。このため、財布収納部２４に収納した折り畳み式財布１０の小銭類収納部１２、カード類収納部１４及び札類収納部１６にお金やカードを容易に収納したり、あるいは取り出したりすることができる。
【００７８】
同時に、お金やカード類を取り損ねた場合でも、第１マチ部３６がこれらの受け部として機能するため、お金やカード類が折り畳み式財布収納部材２０の外部に落下することを防止できる。また、第１マチ部３６の内部に、小銭等のお金を収納することもできる。
【００７９】
加えて、第１マチ部３６及び第２マチ部４２の内部、さらには第１小物収納部３８及び第２小物収納部４４の内部に、様々な小物を分割して収納することができるため、収納力を大幅に高めることができる。
【００８０】
なお、上記各実施形態は、本発明を適用した一例に過ぎないものであり、本発明は上記実施形態の内容に限定されるものではない。
【００８１】
次に、折り畳み式財布収納部材２０の各種変形例について説明する。なお、上記実施形態に係る折り畳み式財布収納部材と重複する構成については、同じ符号を付し、説明を省略する。
【００８２】
図２１乃至図２４は、本発明の第１実施形態に係る折り畳み式財布収納部材の第１変形例を示す。同図に示すように、当該第１変形例の折り畳み式財布収納部材２０は、２つの折曲線ＢＬを基準として折り曲げ可能な構成である。
【００８３】
具体的には、折り畳み式財布収納部材２０は、主として、第１カバー部２２Ａ１と、第２カバー部２２Ａ１と、ベース部２２Ｂと、で構成されている。
【００８４】
第１カバー部２２Ａ１及び第２カバー部２２Ａ２には、カード類を収納するためのカード類収納ポケット４６が設けられている。ベース部２２Ｂには、財布収納部２４が設けられている。
【００８５】
第２カバー部２２Ａ２には、フック部４８が固定されている。フック部４８の先端部は、ベース部２２Ｂに対して連結可能に構成されている。詳細には、図２４に示すように、折り畳み式財布収納部材２０が閉じるときには、第１カバー部２２Ａ１をベース部２２側に折り畳んだ状態で第２カバー部２２Ａ２を第１カバー部２２Ａ１の上から折り畳む。そして、この状態で、フック部４８の先端部がベース部２２Ｂに接続・固定される。このため、第１カバー部２２Ａ１を挟んだ状態で、第２カバー部２２Ａ２をベース部２２Ｂに対して固定することができる。
【００８６】
第１変形例の折り畳み式財布収納部材２０においても、第１実施形態に係る折り畳み式財布収納部材２０と同様の作用効果を有する。特に、フック部４８を設けたことにより、折り畳み式財布収納部材２０の閉じた状態を維持する維持力が強くなる。これにより、折り畳み式財布収納部材２０に収納した折り畳み式財布１０の落下を防止できる。
【００８７】
図２５及び図２６は、本発明の第１実施形態に係る折り畳み式財布収納部材の第２変形例を示す。同図に示すように、当該第２変形例の折り畳み式財布収納部材２０は、１つの折曲線ＢＬを基準として折り曲げ可能な構成である。
【００８８】
具体的には、折り畳み式財布収納部材２０は、主として、カバー部２２Ａと、ベース部２２Ｂと、で構成されている。
【００８９】
カバー部２２Ａ及びベース部２２Ｂには、相互に固着可能なボタン部５０が設けられている。これにより、カバー部２２Ａとベース部２２Ｂは、ボタン部５０により強固な固着が可能になる。この結果、折り畳み式財布収納部材２０の使用中において、折り畳み式財布収納部材２０の財布収納部２４から折り畳み式財布１０が落下することを防止できる。
【００９０】
また、ベース部２２Ｂには、チェーンを挿通するためのチェーン用穴５２が形成されている。チェーン用穴５２にチェーンを挿入して使用者の衣類に固定することにより、折り畳み式財布収納部材２０の使用中における折り畳み式財布収納部材２０の落下を防止できる。
【００９１】
図２７及び図２８は、本発明の第１実施形態に係る折り畳み式財布収納部材の第３変形例を示す。同様にして、当該第３変形例の折り畳み式財布収納部材２０は、１つの折曲線ＢＬを基準として折り曲げ可能な構成である。
【００９２】
具体的には、折り畳み式財布収納部材２０の財布収納部２４が正面視にて枠形状に形成されており、その中央に大きな開口部２５が形成されている。財布収納部２４は、折り畳み式財布１０が開いた状態で収納可能に構成されている。
【００９３】
財布収納部２４に折り畳み式財布１０が収納された状態では、折り畳み式財布１０の小銭類収納部１２及びカード類収納部１４の全てが開口部２５を通して露出しているため、小銭類収納部１２及びカード類収納部１４に小銭やカードを自在に収納し、又は小銭類収納部１２及びカード類収納部１４から小銭やカードを取り出すことが可能になる。
【００９４】
次に、本発明の折り畳み式財布収納部材に設けられるカード類収納ポケットの各種変形例について説明する。なお、上記実施形態に係る折り畳み式財布収納部材と重複する構成については、同じ符号を付し、説明を省略する。
【００９５】
図２９は、折り畳み式財布収納部材２０に設けられるカード類収納ポケット４６の第１変形例を示した図である。図３０は、折り畳み式財布収納部材２０に設けられるカード類収納ポケット４６の第２変形例を示した図である。図３１は、折り畳み式財布収納部材２０に設けられるカード類収納ポケット４６の第３変形例を示した図である。
【００９６】
図２９乃至図３１に示すように、折り畳み式財布収納部材２０に設けられるカード類収納ポケット４６の形状・構成についても、様々な形態のものを適用することができる。
【符号の説明】
【００９７】
１０      折り畳み式財布
１２      小銭類収納部
１４      カード類収納部
１６      札類収納部
１８      中央部
２０      折り畳み式財布収納部材
２２      収納部材本体
２２Ａ    カバー部
２２Ｂ    ベース部
２４      財布収納部
２５      開口部
２６      第１支持部（財布収納部）
２６Ａ    第１収納入口部（収納入口部）
２６Ｂ    第１縁部（縁部）
２８      第２支持部（財布収納部）
２８Ａ    第２収納入口部（収納入口部）
２８Ｂ    第２縁部（縁部）
３０      接続部（財布収納部）
３２      内側支持部
３４      厚み部
３６      第１マチ部（マチ部）
３８      第１小物収納部（小物収納部）
４０      小銭収納ポケット
４２      第２マチ部（マチ部）
４４      第２小物収納部（小物収納部）
４６      カード類収納ポケット
【要約】
【課題】折り畳み式財布の中身を入れ替えることなく、長財布として使用することが可能な折り畳み式財布収納部材を提供する。
【解決手段】折り畳み式財布１０を収納する折り畳み式財布収納部材２０であって、収納部材本体２２と、収納部材本体２２に設けられ折り畳み式財布１０を折り畳む前の開いた状態で当該折り畳み式財布１０を収納する財布収納部２４と、財布収納部２４に形成され折り畳み式財布１０の所定の領域を露出する開口部２５と、を有する。
【選択図】      図１０【図１】
0005506006.tif 000002
【図２】
0005506006.tif 000003
【図３】
0005506006.tif 000004
【図４】
0005506006.tif 000005
【図５】
0005506006.tif 000006
【図６】
0005506006.tif 000007
【図７】
0005506006.tif 000008
【図８】
0005506006.tif 000009
【図９】
0005506006.tif 000010
【図１０】
0005506006.tif 000011
【図１１】
0005506006.tif 000012
【図１２】
0005506006.tif 000013
【図１３】
0005506006.tif 000014
【図１４】
0005506006.tif 000015
【図１５】
0005506006.tif 000016
【図１６】
0005506006.tif 000017
【図１７】
0005506006.tif 000018
【図１８】
0005506006.tif 000019
【図１９】
0005506006.tif 000020
【図２０】
0005506006.tif 000021
【図２１】
0005506006.tif 000022
【図２２】
0005506006.tif 000023
【図２３】
0005506006.tif 000024
【図２４】
0005506006.tif 000025
【図２５】
0005506006.tif 000026
【図２６】
0005506006.tif 000027
【図２７】
0005506006.tif 000028
【図２８】
0005506006.tif 000029
【図２９】
0005506006.tif 000030
【図３０】
0005506006.tif 000031
【図３１】
0005506006.tif 000032